【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
表面をパターニングする方法であって、
表面領域上に少なくとも１種のプレコート配合物をパターニングしてパターン化領域を形成するステップであって、パターン化領域のうちの少なくとも２つが、化学的および物理的特性の少なくとも一方において互いに異なる、ステップと、
パターン化領域上に少なくとも１種のパターニング配合物を塗布するステップであって、パターン化領域上に塗布された少なくとも１種のパターニング配合物がプレコート配合物と相互作用し、パターニング配合物とプレコート配合物との間の相互作用が、前記化学的および／または物理的特性によって決定され、それにより、（ｉ）パターニング配合物がプレコート内に少なくとも部分的に組み込まれるか、または（ｉｉ）パターニング配合物がプレコートの上に保持される、ステップと、
プレコート配合物およびパターニング配合物の硬化を可能にする条件に、表面を曝し、それによりパターン形成された表面を得るステップとを含むことを特徴とする方法。
【請求項２】
請求項１に記載の方法において、プレコート配合物は、少なくともパターニング配合物を塗布する前に、プレコート配合物の部分的硬化を可能にする条件に曝されることを特徴とする方法。
【請求項３】
請求項１または２に記載の方法において、
プレコート配合物が複数の領域上に塗布され、少なくとも１の第１の領域が第１の厚さのプレコートでコーティングされ、複数の領域のうちの少なくとも１の第２の領域が第１の厚さより大きい第２の厚さのプレコートでコーティングされ、（ｉ）第１の領域上に塗布されたパターニング配合物がプレコート内に少なくとも部分的に組み込まれ、（ｉｉ）第２の領域上に塗布されたパターニング配合物がプレコートの上に保持されることを特徴とする方法。
【請求項４】
請求項１または２に記載の方法において、
プレコート層が、第１のプレコート配合物の第１の副層と、その上に塗布される、第２の異なるプレコート配合物の第２の副層とをパターン形成することにより得られ、少なくとも２つの領域が、第１の副層と第２の副層の比率において互いに異なることを特徴とする方法。
【請求項５】
請求項４に記載の方法において、
少なくとも２つの領域の各々における第１の副層と第２の副層との比率が、それぞれ０：１００％と１００％：０との間の範囲にあることを特徴とする方法。
【請求項６】
請求項１乃至５の何れか一項に記載の方法において、
少なくとも１種のプレコート配合物が、少なくとも１種のパターニング配合物中の相補的作用物質と化学的に反応することができる作用物質を含むことを特徴とする方法。
【請求項７】
請求項１乃至６の何れか一項に記載の方法において、
少なくとも１種のパターニング配合物を塗布する前に、少なくとも１種の中間配合物を塗布するステップをさらに含み、任意には、少なくとも１種の中間配合物が、少なくとも１種のパターニング配合物中の相補的作用物質と化学的に反応することができる作用物質を含むことを特徴とする方法。
【請求項８】
請求項１乃至７の何れか一項に記載の方法において、パターン化領域のうちの少なくとも２つの間で異なる化学的または物理的特性が、パターン化領域の組成、硬化度、粘度、粘着性、表面構造、表面張力、厚さ、化学反応性およびｐＨのうちの少なくとも１つであることを特徴とする方法。
【請求項９】
請求項１乃至８の何れか一項に記載の方法において、少なくとも２つのパターン化領域の各々が、少なくとも１種の光開始剤を含み、（ｉ）少なくとも２つのパターン化領域の各々が異なる光開始剤を含み、（ｉｉ）少なくとも２つのパターン化領域の各々が異なる量の光開始剤を含み、または、（ｉｉｉ）少なくとも２つのパターン化領域の各々が光開始剤の異なる組合せを含むことを特徴とする方法。
【請求項１０】
請求項１乃至９の何れか一項に記載の方法において、パターン化領域の少なくとも２つは硬化度が異なり、任意には、硬化度の差が、部分的硬化を可能にする条件にパターン化領域を曝すことによって得られることを特徴とする方法。
【請求項１１】
パターン形成された物品であって、
表面を有する物品と、
表面の領域上のプレコート層であって、当該プレコート層が、化学的および物理的特性の少なくとも一方において互いに異なる少なくとも２つのパターン化領域を形成する、プレコート層と、
プレコート層と相互作用する少なくとも１のパターニング配合物層とを備え、パターニング配合物層とプレコート層との間の相互作用が、前記化学的または物理的特性によって決定され、パターニング配合物層が、（ｉ）プレコート層内に少なくとも部分的に組み込まれるか、または（ｉｉ）プレコート層の上に保持されていることを特徴とする物品。
【請求項１２】
請求項１１に記載のパターン形成された物品において、
プレコート層上に配置されて、プレコート層と相互作用する中間組成物層をさらに含み、中間配合物層が、（ｉ）プレコート層内に少なくとも部分的に組み込まれるか、または（ｉｉ）プレコート層の上に保持されていることを特徴とする物品。
【請求項１３】
請求項１１または１２に記載のパターン形成された物品において、複数の部分のうちの少なくとも１つが第１の厚さのプレコートでコーティングされ、複数の部分のうちの少なくとも別の１つが第２の厚さのプレコートでコーティングされ、第２の厚さが第１の厚さよりも大きく、（ｉ）第１の領域上に塗布されたパターニング配合物がプレコート内に少なくとも部分的に組み込まれ、（ｉｉ）第２の領域上に塗布されたパターニング配合物がプレコートの上に保持されることを特徴とする物品。
【請求項１４】
請求項１１または１２に記載のパターン形成された物品において、プレコート層が、第１のプレコート配合物の第１の副層と、その上に塗布される、第２の異なるプレコート配合物の第２の副層とを備え、少なくとも２つの領域が、第１の副層と第２の副層の比率において互いに異なり、任意には、少なくとも２つの領域の各々における第１の副層と第２の副層との比率が、それぞれ０：１００％と１００％：０との間の範囲にあることを特徴とする物品。
【請求項１５】
請求項１１乃至１４の何れか一つに記載のパターン形成された物品において、少なくとも１種のプレコート配合物が、少なくとも１種のパターニング配合物中の相補的作用物質と化学的に反応することができる作用物質を含むことを特徴とする物品。
【請求項１６】
請求項１１乃至１５の何れか一つに記載のパターン形成された物品において、パターン化領域のうちの少なくとも２つの間で異なる化学的または物理的特性が、パターン化領域の組成、硬化度、粘度、粘着性、表面構造、表面張力、厚さ、化学反応性およびｐＨのうちの少なくとも１つであることを特徴とする物品。
【請求項１７】
請求項１１乃至１６の何れか一つに記載の方法において、少なくとも２つのパターン化領域の各々が、少なくとも１種の光開始剤を含み、（ｉ）少なくとも２つのパターン化領域の各々が異なる光開始剤を含み、（ｉｉ）少なくとも２つのパターン化領域の各々が異なる量の光開始剤を含み、または、（ｉｉｉ）少なくとも２つのパターン化領域の各々が光開始剤の異なる組合せを含むことを特徴とする方法。
【請求項１８】
印刷インクシステムであって、
表面張力γ０を有するプレコート配合物と、
表面張力γ２を有する少なくとも１種のパターニング配合物とを含み、周囲条件でγ０＜γ２であり、
プレコート配合物が、少なくとも１種の官能化モノマーと、少なくとも１種のオリゴマーと、少なくとも１種の界面活性剤と、第１の波長で活性化可能な少なくとも１種の第１の光開始剤と、第２の波長で活性化可能な少なくとも１種の第２の光開始剤とを含み、少なくとも１種の官能基モノマーが、パターニング配合物中の相補的作用物質と化学反応するように選択されたものであることを特徴とする印刷インクシステム。
【請求項１９】
請求項１８に記載の印刷インクシステムにおいて、
（ｉ）表面張力γ０が３７ｍＮ／ｍ以下であり、かつ／または
（ｉｉ）表面張力γ２が、γ０より少なくとも３ｍＮ／ｍ大きいことを特徴とする印刷インクシステム。
【請求項２０】
請求項１８または１９に記載の印刷インクシステムにおいて、
周囲条件でγ０＜γ１≦γ２となるような表面張力γ１を有する中間配合物をさらに含むことを特徴とする印刷インクシステム。
【請求項２１】
請求項２０に記載の印刷インクシステムにおいて、
パターニング配合物が少なくとも１種の顔料を含み、中間配合物が少なくとも１種の他の顔料を含み、任意には、少なくとも１種の顔料が、少なくとも１種の他の顔料とは異なることを特徴とする印刷インクシステム。
【請求項２２】
複数のインクカートリッジを具える印刷ユニットであって、インクカートリッジのうちの少なくとも１つが表面張力γ０を有するプレコート配合物を含み、少なくとも１つのインクカートリッジが表面張力γ２を有する少なくとも１種のパターニング配合物を含み、プレコート配合物が、少なくとも１種の官能化モノマーと、少なくとも１種のオリゴマーと、少なくとも１種の界面活性剤と、第１の波長で活性化可能な少なくとも１種の第１の光開始剤と、第２の波長で活性化可能な少なくとも１種の第２の光開始剤とを含み、少なくとも１種の官能基モノマーが、パターニング配合物中の相補的作用物質と化学反応するように選択されたものであり、周囲条件でγ０＜γ２であることを特徴とする印刷ユニット。